(57)【特許請求の範囲】
【請求項１】
一対の円環状の枠体及び該枠体に取着され外周面に識別情報の付された帯状フィルムからなる回転体と、
該回転体を回転可能に支持する支軸を具備する支持フレームとを備え、前記回転体の回転に基づく遊技を行う遊技機であって、
前記回転体の内部領域において前記支軸とは離間した位置に設けられ、所定の回転角度毎に回転駆動及び停止可能な駆動源と、
該駆動源の回転駆動力を前記回転体の前記枠体の中心部分に伝達可能な駆動力伝達手段とを備え、
さらに、
前記支軸には、取付手段が固着されており、
該取付手段は、前記支軸の周囲を取り巻くようにして該支軸に固定される略筒状の挟着部と、
前記挟着部から周方向に突設された第１の取付部と、
前記挟着部から、前記第１の取付部とは異なる周方向に突設された第２の取付部とを備え、
前記第１の取付部に、前記駆動源を取付けるとともに、
前記第２の取付部に、前記帯状フィルムの一部を内側から照射可能なバックライト用光源を取付け、
前記駆動力伝達手段を、前記一方の枠体側に設けたことを特徴とする遊技機。
【請求項２】
前記バックライト用光源は、前記回転体の幅方向略中央部に対応して設けられることを特徴とする請求項１に記載の遊技機。
【請求項３】
前記駆動力伝達手段は、前記駆動源に取着された駆動プーリと、前記回転体に取付けられた被動プーリと、前記駆動プーリ及び被動プーリに架けられたベルトとにより構成されていることを特徴とする請求項１又は２に記載の遊技機。
【発明の詳細な説明】
【０００１】
【発明の属する技術分野】
本発明は、スロットマシン等の遊技機に関するものである。
【０００２】
【従来の技術】
従来、複数の図柄（識別情報の一種）が所定間隔おきに付された回転体を遊技機本体内に有するスロットマシン等の遊技機が知られている。この種の遊技機では、遊技者の始動操作に基づいて回転体が回転され、遊技者の停止操作に基づいてその回転が停止させられる。一般に、回転体は、モータ等の駆動源によって回転させられる。かかる駆動源は、回転体内の回転中心位置に配設されており、該モータの出力軸からの回転駆動力に基づいて回転体の回転が導出される。
【０００３】
【発明が解決しようとする課題】
しかしながら、従来の遊技機にあっては、回転体内部に駆動源以外の別部材を配置しようとした場合に、駆動源や、回転体を回転させるための部材により、その配置が妨げられたり、配置の自由度に制限が課せられてしまうおそれがある。
【０００４】
本発明は、以上の事情に鑑みてなされたものであり、回転体内部におけるスペース上の自由度を高めることの可能な遊技機を提供することを主たる目的の一つとしている。
【０００５】
【課題を解決するための手段及びその効果】
上記の課題を解決するために有効な手段等を以下に示す。なお、必要に応じてその作用、効果等についても説明する。
【０００６】
手段１．外周面に識別情報の付された回転体を備え、該回転体の回転に基づく遊技を行う遊技機であって、
所定の回転角度毎に回転駆動及び停止可能な駆動源と、
該駆動源の回転駆動力を前記回転体に伝達可能な駆動力伝達手段と
を備え、前記駆動力伝達手段を、前記回転体の幅方向の中心からずれた位置に設けたことを特徴とする遊技機。
【０００７】
手段１によれば、外周面に識別情報の付された回転体の回転に基づく遊技が行われる。かかる遊技機にあって、駆動力伝達手段によって、駆動源の回転駆動力が回転体に伝達され、回転体は、所定の回転角度毎に回転及び停止させられる。かかる駆動力伝達手段は、回転体の幅方向の中心からずれた位置に設けられているため、回転体内部においては、その幅方向の中心領域を含む内部領域が十分に確保されることとなる。このため、内部領域の有効活用を図ることができ、例えば、駆動源や、その他の部材を回転体の内部領域に配置する上で、その配置が妨げられたりしにくい。なお、「前記駆動源は、所定の回転角度毎に回転駆動及び停止可能なステッピングモータよりなること」としてもよい。この場合、ステッピングモータの駆動ステップ数を制御することで適正な位置に回転体を停止等させることが可能となる（以下、各手段において同様）。また、「前記駆動力伝達手段を、前記回転体の幅方向の中心からずれた位置に設けた」に代えて、「前記駆動力伝達手段を、前記回転体の幅方向の中心から所定距離だけ離れた位置に設けた」こととしてもよいし、「前記駆動力伝達手段を、前記回転体の幅方向の中心から片寄った位置に設けた」こととしてもよい。
【０００８】
手段２．外周面に識別情報の付された回転体を備え、該回転体の回転に基づく遊技を行う遊技機であって、
所定の回転角度毎に回転駆動及び停止可能な駆動源と、
該駆動源の回転駆動力を前記回転体に伝達可能な駆動力伝達手段と
を備え、前記駆動力伝達手段を、前記回転体の幅方向の側部に設けたことを特徴とする遊技機。
【０００９】
手段２によれば、駆動力伝達手段が、回転体の幅方向の側部に設けられているため、回転体内部においては、その幅方向の中心領域を含む内部領域が十分に確保されることとなる。このため、内部領域の有効活用を図ることができ、例えば、駆動源や、その他の部材を回転体の内部領域に配置する上で、その配置が妨げられたりしにくい。
【００１０】
手段３．外周面に識別情報の付された回転体と、該回転体を回転可能に支持する支軸を具備する支持フレームとを備え、前記回転体の回転に基づく遊技を行う遊技機であって、
所定の回転角度毎に回転駆動及び停止可能な駆動源と、
該駆動源の回転駆動力を前記回転体に伝達可能な駆動力伝達手段と
を備え、前記駆動力伝達手段を、前記支軸の長手方向の中心からずれた位置に対応して設けたことを特徴とする遊技機。
【００１１】
手段３によれば、外周面に識別情報の付された回転体は、支持フレームの支軸に回転可能に支持され、回転体の回転に基づく遊技が行われる。かかる遊技機にあって、駆動力伝達手段によって、駆動源の回転駆動力が回転体に伝達され、回転体は、所定の回転角度毎に回転及び停止させられる。かかる駆動力伝達手段は、支軸の長手方向の中心からずれた位置に対応して設けられているため、回転体内部においては、支軸の長手方向の中心領域を含む内部領域が十分に確保されることとなる。このため、内部領域の有効活用を図ることができ、例えば、駆動源や、その他の部材を回転体の内部領域に配置する上で、その配置が妨げられたりしにくい。
【００１２】
手段４．一対の円環状の枠体及び該枠体に取着され外周面に識別情報の付された帯状フィルムからなる回転体と、該回転体を回転可能に支持する支軸を具備する支持フレームとを備え、前記回転体の回転に基づく遊技を行う遊技機であって、
前記回転体の内部領域に設けられ、所定の回転角度毎に回転駆動及び停止可能な駆動源と、
該駆動源の回転駆動力を前記回転体に伝達可能な駆動力伝達手段と
を備え、前記駆動力伝達手段を、前記一方の枠体側に設けたことを特徴とする遊技機。
【００１３】
手段４によれば、駆動力伝達手段が、回転体の一方の枠体側に設けられている。このため、回転体内部においては、回転体の幅方向の中心領域を含む内部領域が十分に確保されることとなる。このため、内部領域の有効活用を図ることができ、例えば、駆動源や、その他の部材を回転体の内部領域に配置する上で、その配置が妨げられたりしにくい。
【００１４】
手段５．前記駆動源は、前記支軸に対し、取付手段を介して取付けられていることを特徴とする手段３又は４に記載の遊技機。
【００１５】
手段５によれば、駆動源は、支軸に対し取付手段を介して取付けられる。ここで、駆動力伝達手段は、支軸の長手方向の中心からずれた位置、或いは、一方の枠体側に設けられているため、前記取付手段の支軸への取着が、駆動力伝達手段によって妨げられてしまうといった事態が起こりにくい。従って、取付手段及び駆動源を回転体の幅方向の中心位置に配置しやすく、これらを片寄った位置に設ける場合に比べて、内部領域を有効に活用した設置が可能となる。
【００１６】
手段６．前記回転体内部には、別装置が設けられ、該別装置は、前記支軸に対し、取付手段を介して取付けられていることを特徴とする手段３乃至５のいずれかに記載の遊技機。
【００１７】
手段６によれば、別装置が、支軸に対し取付手段を介して取付けられる。ここで、別装置は、支軸の長手方向の中心からずれた位置、或いは、一方の枠体側に設けられているため、前記取付手段の支軸への取着が、駆動力伝達手段によって妨げられてしまうといった事態が起こりにくい。従って、取付手段及び別装置を回転体の幅方向の中心位置に配置しやすく、これらを片寄った位置に設ける場合に比べて、内部領域を有効に活用した設置が可能となる。なお、前記取付手段としては、手段５の取付手段と共通のものを用いてもよいし、別の取付手段を採用してもよい。また、「前記別装置は、発光装置であること」、「前記別装置は、表示装置であること」、或いは「前記別装置は、音声装置であること」としてもよい。
【００１８】
手段７．前記別装置は、前記回転体の幅方向略中央部に対応して設けられることを特徴とする手段６に記載の遊技機。
【００１９】
別装置が例えば発光装置等により構成される場合のように、回転体の幅方向中央部に対応して設けられる方が好ましい場合がある。この点、手段７のように、別装置が回転体の幅方向略中央部に対応して設けられることで、別装置に関し理想的な設置が可能となり、しかも、上述した作用効果が奏されることから、該別装置の設置の上で支障が生じにくい。
【００２０】
手段８．前記回転体の両側が、少なくとも前記支軸で支持されるよう構成したことを特徴とする手段３乃至７のいずれかに記載の遊技機。
【００２１】
手段８のように、回転体の両側が、少なくとも支軸で支持されるよう構成した場合、回転体の支持状態を安定したものとすることができる。
【００２２】
手段９．前記駆動源は、前記回転体の回転中心から離間した位置に設けられていることを特徴とする手段１乃至８のいずれかに記載の遊技機。
【００２３】
手段９によれば、回転体の中心部又はその近傍にまで及ぶ部位において回転体内部の空間領域が確保され、そこに別装置を収容したりすることが可能となる。このため、遊技性を付与するための別装置を回転体内部に設ける上で、駆動源の存在によってその配設に支障が生じることが起こりにくい。従って、従来ではなしえなかった別装置の理想的な設置が可能となり、今までにはない興趣をもたらすことも可能となる。また、前記空間領域を他の目的のために使用したりすることも可能となる。なお、「前記駆動源を前記回転体の回転中心から離間した位置に設けた」に代えて、「前記駆動源を前記回転体内の偏心位置に設けた」こととしてもよい。
【００２４】
手段１０．前記駆動力伝達手段は、前記駆動源に取着された駆動プーリと、前記回転体に取付けられた被動プーリと、前記駆動プーリ及び被動プーリに架けられたベルトとにより構成されていることを特徴とする手段１乃至９のいずれかに記載の遊技機。
【００２５】
手段１０によれば、比較的簡易な構成でもって、駆動力伝達手段を構成することが可能となる。
【００２６】
手段１１．一対の円環状の枠体及び該枠体に取着され外周面に識別情報の付された帯状フィルムからなる回転体と、該回転体を回転可能に支持する支軸を具備する支持フレームとを備え、前記回転体の回転に基づく遊技を行う遊技機であって、
前記回転体の内部領域において、前記支軸から離間した位置に設けられ、所定の回転角度毎に回転駆動及び停止可能な駆動源と、
該駆動源の回転駆動力を前記回転体に伝達可能な駆動力伝達手段と
を備え、前記駆動力伝達手段は、前記駆動源に取着された駆動プーリと、前記回転体に取付けられた被動プーリと、前記駆動プーリ及び被動プーリに架けられたベルトとにより構成され、前記被動プーリを前記一方の枠体に取着することで前記駆動力伝達手段を前記一方の枠体側に配置せしめたことを特徴とする遊技機。
【００２７】
手段１１によれば、駆動力伝達手段が、駆動源に取着された駆動プーリと、回転体に取付けられた被動プーリと、ベルトとにより構成され、被動プーリが回転体を構成する一方の枠体に取着されることで、駆動力伝達手段が一方の枠体側に配置される。このため、回転体内部においては、その幅方向の中心領域を含む内部領域が十分に確保されることとなる。このため、内部領域の有効活用を図ることができ、例えば、駆動源や、その他の部材を回転体の内部領域に配置する上で、その配置が妨げられたりしにくい。
【００２８】
手段１２．前記駆動源は、前記支軸に対し、取付手段を介して取付けられていることを特徴とする手段１１に記載の遊技機。
【００２９】
手段１２によれば、駆動源が支軸に対し取付手段を介して取付けられる。ここで、駆動力伝達手段は、支軸の長手方向の中心からずれた位置、或いは、一方の枠体側に設けられているため、前記取付手段の支軸への取着が、駆動力伝達手段によって妨げられてしまうといった事態が起こりにくい。従って、取付手段及び駆動源を回転体の幅方向の中心位置に配置しやすく、これらを片寄った位置に設ける場合に比べて、内部領域を有効に活用した設置が可能となる。
【００３０】
手段１３．前記回転体内部には、別装置が設けられ、該別装置は、前記支軸に対し、取付手段を介して取付けられていることを特徴とする手段１１又は１２に記載の遊技機。
【００３１】
手段１３によれば、別装置が、支軸に対し取付手段を介して取付けられる。ここで、別装置は、支軸の長手方向の中心からずれた位置、或いは、一方の枠体側に設けられているため、前記取付手段の支軸への取着が、駆動力伝達手段によって妨げられてしまうといった事態が起こりにくい。従って、取付手段及び別装置を回転体の幅方向の中心位置に配置しやすく、これらを片寄った位置に設ける場合に比べて、内部領域を有効に活用した設置が可能となる。なお、前記取付手段としては、手段１２の取付手段と共通のものを用いてもよいし、別の取付手段を採用してもよい。また、「前記別装置は、発光装置であること」、「前記別装置は、表示装置であること」、或いは「前記別装置は、音声装置であること」としてもよい。
【００３２】
手段１４．前記別装置は、前記回転体の幅方向略中央部に対応して設けられることを特徴とする手段１３に記載の遊技機。
【００３３】
別装置が例えば発光装置等により構成される場合のように、回転体の幅方向中央部に対応して設けられる方が好ましい場合がある。この点、手段１４のように、別装置が回転体の幅方向略中央部に対応して設けられることで、別装置に関し理想的な設置が可能となり、しかも、上述した作用効果が奏されることから、該別装置の設置の上で支障が生じにくい。
【００３４】
手段１５．前記取付手段は、前記支軸に沿って挟着され所定の長さを有する挟着部を備えていることを特徴とする１２乃至１４のいずれかに記載の遊技機。
【００３５】
手段１５によれば、支軸に沿って挟着される取付手段の挟着部が、所定の長さを有しているため、取付手段の取付状態の安定化を図ることができる。一方で、挟着部が比較的長い場合であっても、上記のとおり駆動力伝達手段により取付の妨げとはなりにくいことから、比較的容易にかつ確実に所定位置に取付手段を取付けることが可能となる。
【００３６】
手段１６．前記回転体の両側の一対の枠体が、少なくとも前記支軸で支持されるよう構成したことを特徴とする手段１１乃至１５のいずれかに記載の遊技機。
【００３７】
手段１６のように、回転体の両側が、少なくとも支軸で支持されるよう構成した場合、回転体の支持状態を安定したものとすることができる。
【００３８】
手段１７．前記駆動プーリの半径は、前記被動プーリの半径よりも小さく設定されていることを特徴とする手段１１乃至１６のいずれかに記載の遊技機。
【００３９】
手段１７によれば、駆動源に必要な駆動トルクを比較的小さなものとすることができ、駆動源の小型化を図ることができる。
【００４０】
手段１８．前記回転体の外周面は所定の光透過性を有していることを特徴とする手段１乃至１７のいずれかに記載の遊技機。
【００４１】
手段１８によれば、回転体の外周面が所定の光透過性を有しているため、回転体内部に別装置等が設けられる場合、別装置或いは別装置から放たれた可視光線を視認することができる。そのため、該視認による演出効果をより確実なものとすることができる。
【００４２】
手段１９．前記回転体は複数種の識別情報を予め定めた配列で循環表示するものであることを特徴とする手段１乃至１８のいずれかに記載の遊技機。
【００４３】
識別情報の配列順序が例えば閉ループを構成して循環表示するものであれば、遊技者が積極的に所定の識別情報を狙って操作することができる。また、遊技者の技術介入を促進する上ではその可変表示速度が一定であることが一層好ましい。なお、循環表示される複数種の識別情報として一巡する間に同一種の識別情報が含まれていてもよいことはいうまでもない。また、「前記回転体は、並列状態で複数配設されていること」としてもよい。
【００４４】
手段２０．前記識別情報は図柄であることを特徴とする手段１乃至１９のいずれかに記載の遊技機。
【００４５】
手段２０のように、識別情報としては、数字、絵、文字、記号等による図柄とするのが、遊技者の判断の容易性の点で好ましい。また、種類の異なる図柄については、その大きさや色に変化を与えることが、変動中の図柄種別の判別を容易ならしめる上で好ましい。
【００４６】
手段２１．手段１乃至２０のいずれかにおいて、遊技機はパチンコ遊技機であること。中でも、パチンコ遊技機の基本構成としては、操作ハンドルを備えていてそのハンドル操作に応じて遊技球を所定の遊技領域に発射させ、遊技球が遊技領域内の所定の位置に配置された作動口に入賞することを必要条件として可変表示装置の主表示部において変動表示されている識別情報が所定時間後に確定停止表示されること等が挙げられる。また、特別遊技状態発生時には遊技領域内の所定の位置に配置された可変入賞装置が所定の態様で開放されて遊技球を入賞可能とし、その入賞個数に応じた有価価値（景品球のみならず、磁気カードへの書き込み等も含む）が付与されることが挙げられる。この場合において、前記回転体により前記可変表示装置の主表示部が構成される。
【００４７】
手段２２．手段１乃至２０のいずれかにおいて、遊技機は回胴式遊技機であること。ここで、回胴式遊技機の構成としては、「複数の識別情報からなる識別情報列（具体的には回転体としてのリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段を備えた回胴式遊技機」となる。なお、回胴式遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。なお、この場合、可変表示装置は、遊技機本体を画定する本体ボックスに設置される。
【００４８】
手段２３．手段１乃至２０のいずれかにおいて、遊技機はパチンコ機とスロットマシンとを融合させた遊技機であること。中でも、前記融合させた遊技機の基本構成としては、「複数の識別情報からなる識別情報列（具体的には回転体としてのリールであり、識別情報はリールに付されたシンボルである）を変動表示（具体的にはリールの回動である）した後に識別情報を確定停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。なお、かかる遊技機にあっては、前記リール等を具備する可変表示手段を可変表示装置として捉えてもよいし、前記リールとは別途設けられ、前記識別情報に対応する（疑似的な対応であってもよい）識別情報を表示可能な表示装置（例えば液晶表示装置）をここにいう可変表示装置として捉えてもよい。
【００４９】
【発明の実施の形態】
以下に、遊技機を回胴式遊技機、具体的にはスロットマシンに適用した場合の一実施の形態につき図面に基づいて説明する。
【００５０】
図１に示すように、スロットマシンの筐体１１には、前面扉１２がその左辺部を回動軸として回動可能に取り付けられている。本実施の形態では筐体１１及び前面扉１２等により本体が構成されている。筐体１１の内部には、３つの回胴ユニット１３が横並びに配設されている。各回胴ユニット１３は、回転体としてのリール４０を１つずつ備え、各リール４０の外周部には複数の図柄（識別情報）が描かれている。３体のリール４０が停止した状態では、その正面側に位置する合計９つの図柄（左右方向３つ×上下方向３つ）が前面扉１２に設けられた視認部としての表示窓１４を介して遊技者に視認されるようになっている。尚、３つの回胴ユニット１３は図柄の種類配置状態等を除いて全て同じ構造となっている。
【００５１】
図２及び図３は、回動ユニット１３を構成する主要な部品を示した分解斜視図である。図４は組み立てられた回胴ユニット１３の正面図であり、図５は回胴ユニットの中央付近を正面側から見た断面図である。図２〜図５に示すように、各回胴ユニット１３の支持フレーム（又は枠体）は、第１の側板２１と第２の側板２２とを備えている。第２の側板２２は正面略コ字状をなし、底板部と天板部とを備えている。この第２の側板２２の開放側（左側）を第１の側板２１で塞ぐようにして両側板２１，２２が連結されることで、正面方形状の支持フレームが構成されている。
【００５２】
図２，３及び５に示すように、各側板２１，２２の高さ方向中心の窪みには取付孔が形成され、各取付孔には取付フランジ２３，２４が一対のビスで固定されている。左右の取付フランジ２３，２４間には、支軸としてのリール軸２５が保持されている。このリール軸２５は略円柱状の金属棒材からなるが、その棒材には、左端から中心部にまで延びる縦溝２６と右端付近に延びる縦溝２７とが形成されている。縦溝２６，２７の各々はリール軸２５を直径方向に横切って外周面側に開口すると共に、リール軸２５の左右両端部の各端面にも開口している。本実施の形態では、これら縦溝２６，２７により、中空部が構成されている。図５に示唆するように、各取付フランジ２３，２４においてリール軸２５の端部を受承する円筒部の内側には、上下一対の係合突条２３ａ，２４ａが設けられている。上下一対の係合突条２３ａ，２４ａがリール軸端部の縦溝２６，２７内に嵌入することにより、左右の取付フランジ２３，２４間においてリール軸２５が回動不能に保持されている。
【００５３】
左右の側板２１，２２間に固定されたリール軸２５上には、取付手段としての取付クランプ２８が固着されている。図３に示すように、取付クランプ２８は、リール軸２５の周囲を取り巻く略円筒状の挟着部２８ａを有している。ビスの締結力を利用し当該挟着部２８ａでリール軸２５を締め付けることにより、取付クランプ２８がリール軸２５上に固定される。図３及び図４に示すように、取付クランプ２８の上端部２８ｂには、別装置、駆動源としてのステッピングモータ２９が取り付けられている。また、取付クランプ２８の一側（図４の手前側）には、側腕部２８ｃが突設されている。この側腕部２８ｃには、電気機器、演出装置、発光装置を構成するバックライト用光源３８（図６参照）が取付けられる。この光源３８により、リール４０の外周円筒面の一部が内側から照射されるようになっている。
【００５４】
図４及び図５に示すように、本実施の形態では、このようにステッピングモータ２９や、バックライト用光源３８といった複数の電気機器を取付ける都合上、取付状態の安定化を図るべく、前記挟着部２８ａは、リール軸２５の長手方向に沿って所定の長さを有している。また、バックライト用光源３８からの光を、リール４０の帯状フィルム５４の幅方向略中央部に当てる必要がある都合上、バックライト用光源３８は、帯状フィルム５４の幅方向略中央部に配置される。つまり、前記取付クランプ２８は、リール軸２５の長手方向の略中央部に固着されている。
【００５５】
リール軸２５上には、リール４０が左右一対の環状ベアリング３１，３２により回動可能に支持されている。リール４０は、左右一対のリール枠４１，４２を有している。左リール枠４１は、その中心に保持された左側ベアリング３１を介してリール軸２５上に独立して回動可能に支持されている。同様に右リール枠４２は、その中心に保持された右側ベアリング３２を介してリール軸２５上に独立して回動可能に支持されている。
【００５６】
左側ベアリング３１及び左リール枠４１と取付クランプ２８との間において、リール軸２５には略円筒状の左スリーブ３３が外嵌されている。この左スリーブ３３の左端と左側取付フランジ２３の内側（右側）との間に左側ベアリング３１及び左リール枠４１を挟み込むことにより、これら３１，４１をリール軸２５上の所定位置に位置決めしている。同様に、右側ベアリング３２及び右リール枠４２と取付クランプ２８との間において、リール軸２５には略円筒状の右スリーブ３４が外嵌されている。この右スリーブ３４の右端と右側取付フランジ２４の内側（左側）との間に右側ベアリング３２及び右リール枠４２を挟み込むことにより、これら３２，４２をリール軸２５上の所定位置に位置決めしている。尚、少なくとも左スリーブ３３は、リール軸２５に対し回動不能に装着されている。
【００５７】
図５に示すように、左スリーブ３３の一部には、リール軸２５の左縦溝２６と対応する位置において切欠き部３５が形成されている。この切欠き部３５は、リール軸２５に外嵌された左スリーブ３３の内側（即ち左縦溝内部）とその外（即ちリール４０の内部領域）とを連通させるためのものである。他方、リール軸２５の左側端面に開口した左縦溝２６は、左側取付フランジ２３の中央孔を介して、第１の側板２１の外側に通じている。すなわち、左スリーブ３３（切欠き部３５を含む）及びリール軸２５の左縦溝２６は、左右リール枠４１，４２間に挟まれた内部領域と回胴ユニット１３（リール４０）の外部とを連通させる「連通路」を構成する。
【００５８】
そして図５に示唆するように、その連通路内には、電気的接続手段としての電気配線３６が設けられている。この電気配線３６は、例えば、取付クランプ２８上方に位置するステッピングモータ２９や、バックライト用光源３８と、外部の電源及び駆動制御回路（主基板：図示略）とを電気的に接続するための給電線（又は給電制御線の束）である。より詳しくは、ステッピングモータ２９や、バックライト用光源３８からは、それぞれ複数本の電気配線３６が延びており、該電気配線３６が集約状態で、前記連通路内に設けられている。かかる電気配線３６は、左縦溝２６を通って、左側取付フランジ２３の中央孔から第１の側板２１の外側に略集約状態で導出されている。つまり上記連通路は、リール軸２５上で回転するリール４０との干渉を避けながら、ステッピングモータ２９やバックライト用光源３８といった電気機器から延びる電気配線３６を回胴ユニット１３の外へ導くための通路として機能する。
【００５９】
次に、リール４０の組立構造について説明する。
【００６０】
図４及び図５に示すように、リール軸２５上に回動可能に設けられた短円筒状（又はドラム状）のリール４０は、左右一対のリール枠４１，４２と、両リール枠間に架設された帯状フィルム５４とを備えている。各リール枠４１，４２は、成形用金型装置で合成樹脂を一体成形したものであり、左リール枠４１と右リール枠４２とは同じ金型から得た同形状の枠体である。
【００６１】
図２，３及び７に示すように、各リール枠４１，４２は、その中心位置を示すハブ部４３と、該リール枠の外周部を構成するリング部４４と、ハブ部４３とリング部４４との間において両部を連結するべく十字状に設けられた４本のアーム４５とから構成されている。半径方向に延びた各アーム４５の途中には折曲げ段差４５ａが付与されており、この段差４５ａのために、ハブ部４３はリール軸方向の内側寄りに、リング部４４は同方向の外側寄りに相対配置される。図５及び図７に示すように、ハブ部４３の外側面上には、４つの保持爪４６が該ハブ部４３中心の貫通孔４７を取り囲むように突設されている。これら４つの保持爪４６によって前記ベアリング３１又は３２がリール枠４１，４２に保持されている。また、ハブ部４３の内側面と連続する各アーム４５の内側面上には、ビス孔（雌ネジ部）を備えた突起部４８が設けられている。
【００６２】
図７及び図８に示すように、円形リング部４４の外周面４４ａ上には、その外縁寄り位置において環状突条４９が形成されている。この環状突条４９はリング部４４の全周にわたって延びており、リール枠４１，４２の外周部の一部を構成する。各環状突条４９の内側面４９ａ（相手方リール枠と対向する面）には、リング部４４と同心円状の仮想ラインに沿って延びる複数の円弧状溝５１（本例では８条）が形成されている。図８（Ｂ）に示すように各円弧状溝５１は、相対向する外側寄り内壁面５１ａと内側寄り内壁面５１ｂとによって区画されており、その内側寄り内壁面５１ｂはリング部外周面４４ａと面一となっている。
【００６３】
更に、これら円弧状溝５１の配列群領域には、隣り合う円弧状溝の溝端間においてそれぞれ、肉部５２（係合凸部）が確保されている。これらの肉部５２は計８箇所に存在し、ハブ部中心の貫通孔４７を中心として等角度間隔（即ち４５゜間隔）で配置されている。つまり、８条の円弧状溝５１は、いずれも円弧長が等しい。尚、円弧状溝５１の幅ｈ（即ち前記両内壁面５１ａ，５１ｂ間の距離）は、帯状フィルム５４を二重に重ねた状態でも挿入可能な幅（例えば１．０ｍｍ）に設定されている。
【００６４】
他方、図９（Ａ）は平面展開した帯状フィルム５４を示す。この帯状フィルム５４は、例えば長さ７４ｃｍ×幅８ｃｍ×厚さ０．３ｍｍという長尺な帯状をなす。本実施の形態において、帯状フィルム５４は、所定の光透過性を有し、例えば、ポリエチレン、ピリプロピレン、ポリ塩化ビニル、ポリエチレンテレフタレート等の合成樹脂材料により構成されている。本実施の形態では、前記光源３８から照射される光が帯状フィルム５４から透けて視認することができるようになっており、これにより、種々の演出が実行されるようになっている。
【００６５】
帯状フィルム５４の後端部（図９（Ａ）では下端部）には、重ね代５５（長さ約３ｃｍ）が確保されている。この重ね代５５を帯状フィルム５４の前端部（図９（Ａ）では上端部）に重ね合わせると共に、両者の接触面間に、例えば両面テープや接着剤を施して連結することにより、リール４０の外周円筒面となる短円筒形状又はドラム形状を構築することができる。
【００６６】
帯状フィルム５４の表面又は裏面には、上記重ね代５５を除いた前面に略等間隔毎に付された計２１個の図柄Ｍと、これら図柄Ｍの周囲を埋める背景５６とが印刷されている、２１個の図柄Ｍは、帯状フィルム５４で短円筒を構成したときにその円筒面上に等間隔にて一列に並ぶように配列されている。帯状フィルム５４に印刷された背景５６は、外からリール４０内を透かし見ることを防止しつつ各図柄Ｍを目立たせるような配色及び地模様で構成されている。尚、「図柄」とは、いわゆるキャラクタデザインを指し、例えば、動植物、数字、文字、図形、記号その他のものを図案化した識別マーク、又は視覚的識別情報を指す。
【００６７】
帯状フィルム５４の長手方向における左右両側部には、複数個の係合凹部５７（本例では片側８個）が形成されている。これらの係合凹部５７は前記複数の肉部５２と対応するように設けられており、フィルムの各側部において前後に隣り合う係合凹部５７間の間隔は、円弧状溝群に沿って隣り合う肉部５２間の間隔に一致している。即ち帯状フィルム５４で短円筒を構成したときに、フィルム各側部の８個の係合凹部５７は等間隔又は等角度間隔となるように設けられている。
【００６８】
図９（Ｂ）及び（Ｃ）に示すように、リール４０の組立時には、帯状フィルム５４の一方の側部をそれに対応するリール枠の円弧状溝５１に進入させ、リール枠側の肉部５２にフィルム側の係合凹部５７を係合させる。こうして、枠側係合部としての８個の肉部５２と、帯側係合部としての８個の係合凹部５７との相互係合に基づき、左右のリール枠４１，４２に対して帯状フィルム５４を位置決めすると共に、両リール枠４１，４２及び帯状フィルム５４を一体回転可能に連結している。
【００６９】
また、左右リール枠４１，４２のそれぞれの円弧状溝５１内に帯状フィルム５４の各側部を受容することにより、帯状フィルム５４が各リールの円弧状溝群に沿って湾曲されると共に、帯状フィルム５４の前後両端部が重ね代５５で重なり合って短円筒形状（その軸直交断面は円形）ができあがる。そして、フィルムの前後両端部を前述のように重ね代５５で接着することにより、帯状フィルム５４が湾曲状態に固定化されてリール４０の外周円筒面が完成すると共に、両リール４１，４２と帯状フィルム５４との一体化が完了する。
【００７０】
次に、リール４０の駆動機構について説明する。
【００７１】
図４及び図６に示すように、左リール枠４１の４つの突起部４８には、被動プーリ６０が４個のビス（図示略）で当該左リール枠４１と一体回転可能に装着されている。この被動プーリ６０は、被動プーリ本体６１と、そのプーリ本体６１を挟むように設けられた左右のリングプレート６２，６３とを一体化したものである。左のリングプレート６２は主に、被装着物（左リール枠４１）に対する取付用フランジとして機能する。右のリングプレート６３は主に、プーリ本体６１の保護カバーとして機能する。プーリ本体６１は、所定の厚みを持った円盤形状をなし、その外周部には複数の歯６１ａ（即ち被動プーリの凹凸部）が形成されている。
【００７２】
他方、取付クランプ２８の上端部に設けられたステッピングモータ２９は、給電制御によって段階的に回動する出力軸２９ａを有している。ステッピングモータ２９は、その内部磁気構造を構成するロータが２４ステップで１回転する設計仕様となっているが、当該モータ２９内には前記ロータと出力軸２９ａとの間に１／２ギヤ減速機構が組み込まれており、最終的には４８ステップで出力軸２９ａが１回転する４８パルスタイプのステッピングモータとなっている。このステッピングモータ２９は横置きされ、その出力軸２９ａはリール軸２５（即ち被動プーリの中心軸線）と平行になっている。そして、出力軸２９ａの先端には、駆動プーリ６４が固着されている。駆動プーリ６４の外周部には、被動プーリ本体６１外周部の歯６１ａと符号する複数の歯６４ａ（即ち駆動プーリの凹凸部）が形成されている。尚、駆動プーリ６４の有効半径Ｒ１は、被動プーリ本体６１の有効半径Ｒ２よりも小さく設定されている。
【００７３】
更に図４に示すように、駆動プーリ６４と被動プーリ本体６１とは、上下に並ぶように互いの水平方向位置が整合され、両プーリ６１，６４間には動力伝達用ベルト６５が架け渡されている。このベルト６５は例えばゴムや軟質プラスチックからなる。このベルト６５の内側には、駆動及び被動の各プーリ６１，６４に形成された複数の歯と符号する複数の歯６５ａ（即ちベルトの凹凸部）が形成されている。各プーリの歯６１ａ，６４ａとベルトの歯６５ａとの噛合関係により、駆動プーリ６４の回転動力がベルト６５を介して滑り無く確実に被動プーリ６０に伝達され、それに同期してリール４０が回転する。本実施の形態では、これら駆動プーリ６４、ベルト６５及び被動プーリ６０によって駆動力伝達手段が構成されている。
【００７４】
上述したように、本実施の形態における被動プーリ６０は、左リール枠４１に対し一体回転可能に装着されている。つまり、該被動プーリ６０を含む駆動力伝達手段は、リール４０の幅方向中心位置（リール軸２５の長手方向中心位置）からずれた位置、換言すれば、リール４０の幅方向側部側に設けられている。これにより、上述した取付クランプ２８がリール軸２５の長手方向中心位置に固着可能となっている。
【００７５】
尚、リール４０の駆動源たるステッピングモータ２９に対する給電制御は、回胴ユニット１３の外に設けられた上述した駆動制御回路（図示略）によって行われる。この駆動制御回路は、リール４０の回転状況に関する情報（例えば単位時間当り回転数）を参照してモータ２９のステッピング動作をフィードバック制御する。このため、各回胴ユニット１３には、リール４０の回転状況検知手段が設けられている。すなわち、図２、４及び６に示すように、第１の側板２１の内側にはインタラプタ基板６７が設けられ、この基板６７上には、発光素子と受光素子とが対となって検知ゲートを構成するフォトセンサ６８が装着されている。他方、左リール枠４１の４本のアーム４５のうちの１本の外側面上には、原点検知板６９が突設されている。この原点検知板６９は、リール回転時における該検知板６９の軌跡が前記フォトセンサ６８の検知ゲート間を通過するように位置決めされている。従って、原点検知板６９がフォトセンサ６８の検知ゲート間を通過する毎にリール４０の１回転を検知することができる。
【００７６】
なお、前記リール軸２５の左縦溝２６を通って、左側取付フランジ２３の中央孔から第１の側板２１の外側に略集約状態で導出されている電気配線３６は、前記インタラプタ基板６７に接続されている（つまり、インタラプタ基板６７は、中継基板としても機能する）。そして、インタラプタ基板６７からは、前記電気配線３６に接続された別の電気配線（図示略）が延びており、該別の電気配線は、第２の側板２２の下部に固定される別の中継基板ＣＫ（図３参照）へと接続されている。さらに、該中継基板ＣＫに接続されたケーブルコネクタＣＣが前記電源や駆動制御回路へと接続されている。
【００７７】
本実施の形態のリール駆動機構では、駆動プーリ６４の有効半径Ｒ１と被動プーリ本体６１の有効半径Ｒ２との比（プーリ比：ｘ＝Ｒ２／Ｒ１）を最適設定することにより、リール４０の１図柄の配置切替えに必要な回転角度θの均等化（即ち２１個の図柄のいずれについても１図柄分の配置切替えのために３６０／２１度だけ回転させること）と、リール４０を前記回転角度θだけ回転させるのに必要となるモータ出力軸２９ａの駆動ステップ数の整数値化とを両立させている。なお、プーリ比ｘは、モータ出力軸２９ａの回転角度（又は回転数）に対するリール４０の回転角度（又は回転数）の比率でもある。以下に、プーリ比ｘの具体的な決定方法について説明する。
【００７８】
本実施の形態で使用するステッピングモータ２９は、４８ステップで出力軸２９ａが１回転するタイプ、つまり、１ステップ動作で出力軸２９ａが７．５度回動するタイプである。リール４０を１図柄分の配置切替えに必要な回転角度θ（＝３６０／２１）だけ回転させるのに必要となるモータ出力軸２９ａの駆動ステップ数をｎとすると、１：ｘ＝θ：（７．５×ｎ）という等式が成り立つ。これにθ＝３６０／２１を代入して整理すると、次の条件式が得られる。
【００７９】
条件式：  ｘ／ｎ＝（７．５×２１）／３６０＝７／１６
１図柄あたりの必要駆動ステップ数ｎについては整数値であることが必須であるが、プーリ比ｘについては整数値である必要はなく半径Ｒ１，Ｒ２の設定次第で如何様にも定めうる。故に、所望の正数ｎに対して上記条件式：ｘ／ｎ＝７／１６を満足するようなプーリ比ｘを設定すればよい。このような条件に合致するプーリ比ｘと整数ｎとの組合せ（ｘ、ｎ）としては、（ｘ＝３．５，ｎ＝８）、（ｘ＝２１／４＝５．２５，ｎ＝１２）、（ｘ＝７，ｎ＝１６）、（ｘ＝１０．５，ｎ＝２４）、（ｘ＝１４，ｎ＝３２）等々いくらでも挙げられる。但し、本実施の形態では、プーリ比ｘが過度に大きくなることを回避しつつステッピングモータ２９の小型軽量化を図るために、プーリ比ｘ＝７、１図柄当たりの必要駆動ステップ数ｎ＝１６の組合せを選択している。
【００８０】
なお、ステッピングモータ２９が、ｐ回のステップ動作で出力軸２９ａが１回転するｐパルスタイプ（即ち１ステップで出力軸２９ａが３６０／ｐ度回動するタイプ）であり、リール４０の外周円筒面に等間隔で描かれた図柄の数がＱである場合には、上記条件式は次式のように一般化できる。回胴ユニット１３を設計する際には、ｐ及びＱの前提条件に応じて、下記一般式を充足するようにｎ及びｘを適宜選択すればよい。
【００８１】
条件式（一般式）：  ｘ／ｎ＝Ｑ／ｐ  （ｎ，ｐ，Ｑは整数）
次に、本実施の形態において奏される作用効果について説明する。
【００８２】
本実施の形態では、ステッピングモータ２９をリール４０の回転中心とは別の位置（偏心位置）に設けることとし、リール４０内部に、バックライト用光源３８の収容を許容するための空間領域を確保することとしている。このため、遊技に面白味を付与するためのバックライト用光源３８を設ける上で、ステッピングモータ２９の存在によってその配設に支障が生じることが起こりにくい。従って、従来ではなしえなかった光源３８の理想的な設置が可能となり、今までにはない興趣をもたらすこともできる。また、設置態様によっては、今まででは配設することが困難であった大型の光源３８等を配設することも可能となり、かかる場合には今までにはないスロットマシンを提供することも可能となる。特に、リール４０の回転中心と、リール４０の外周面のうち、表示窓１４から視認される区間とを結ぶ領域に空間領域を形成することとし、該空間領域に光源３８を設けることとしている。このため、演出用のバックライト用光源３８を設けるに際し、スペース上の制限が受けにくくなるのみならず、一方で、多様な面白味を導出することが可能となる。
【００８３】
また、ステッピングモータ２９を上記のようにリール４０の回転中心から偏心して設けるとともに、前記モータ２９の回転駆動力を駆動力伝達手段を介してリール４０に伝達させるようになっている。ここで、本実施の形態における被動プーリ６０は、左リール枠４１に対し一体回転可能に装着されている。つまり、該被動プーリ６０を含む駆動力伝達手段は、リール４０の幅方向中心位置（リール軸２５の長手方向中心位置）からずれた位置、換言すれば、リール４０の幅方向側部側に設けられている。このため、ステッピングモータ２９、バックライト用光源３８を取付けるための取付クランプ２８をリール軸２５の長手方向中心位置に設ける上で、支障が生じない。換言すれば、リール４０の内部領域の有効活用を図ることができ、ひいては、ステッピングモータ２９やバックライト用光源３８を配置する上で、その配置が妨げられたりしにくい。
【００８４】
特に、バックライト用光源３８は、リール４０の帯状フィルム５４に光を照射するものであり、その配設位置としてはリール４０の幅方向中心部分が望ましい。この点、本実施の形態では、取付クランプ２８をリール軸２５の長手方向中心位置に設けることができるので、バックライト用光源３８についても取付クランプ２８の側腕部２８ｃに取付けることに何ら支障が生じない。そのため、容易かつ確実にバックライト用光源３８を望ましい位置に配設することができる。
【００８５】
さらに、駆動力伝達手段をリール４０の幅方向側部側に設けることとしたため、取付クランプ２８の挟着部２９ａとして、比較的長いものを使用することができる。この場合、取付クランプ２８の固定状態の安定化、ひいてはステッピングモータ２９やバックライト用光源３８の取付状態の安定化を図ることができる。
【００８６】
併せて、リール４０の両側が、前記リール軸２５で支持される構成となっているため、リール４０の支持状態についても安定したものとすることができる。
【００８７】
以下、他の実施形態について説明する。
【００８８】
（ａ）上記実施の形態ではバックライト用光源３８による演出の具体例について特に言及していないが、種々の演出を行うことができる。例えば、大当たり条件が成立したような場合に点灯又は点滅を行うこととしてもよいし、図柄に透孔や透視部等を設けた上で、所定上面成立時に点灯又は点滅を行うことで、遊技者にとって所定の図柄を狙いやすくできることとしてもよいし、或いは、停止させるべき３つのリール４０の停止順序や停止図柄をナビゲートしたりできることとしてもよい。
【００８９】
（ｂ）上記実施の形態では、別の電気機器として、バックライト用光源３８を例示しているが、電気機器や、他の演出のための装置を設けることとしてもよい。他の演出のための装置としては、上記した光源３８等の発光装置の外にも、図１０，１１に示すように、ドットマトリックス表示装置Ｋ１，Ｋ２，Ｋ３等を挙げることができる。図に示す例では、各ドットマトリックス表示装置Ｋ１，Ｋ２，Ｋ３は、上中下段に停止される図柄に対応して上中下３つの表示部Ｋ１ａ，Ｋ１ｂ，Ｋ１ｃ，Ｋ２ａ，Ｋ２ｂ，Ｋ２ｃ，Ｋ３ａ，Ｋ３ｂ，Ｋ３ｃが備えられている。かかる表示装置Ｋ１〜Ｋ３を設けた場合には、今までにはない表示態様での演出（例えば大型の表示装置を設けた上での表示演出等）を行うことができる。この場合、リール４０の帯状フィルム５４の所定の図柄に対応するようにして、透孔、スリット、透視部等を設けることとするのが望ましい。これにより、表示部Ｋ１ａ，Ｋ１ｂ，Ｋ１ｃ，Ｋ２ａ，Ｋ２ｂ，Ｋ２ｃ，Ｋ３ａ，Ｋ３ｂ，Ｋ３ｃに表示される表示対象を視認することができ、今までにはない面白味を堪能できる。もちろん、ドットマトリックス表示装置以外にも、セグメント表示装置、液晶表示装置等の表示装置を設けることとしてもよい。尚、表示装置の表示態様によって、遊技者をアシスト（補助）するようにしてもよい。この場合、「表示装置は、遊技者の遊技を補助するための遊技補助装置」となる。かかる遊技補助装置としては、停止タイミングを教示するもの、図柄を教示するもの等が挙げられる。
【００９０】
（ｃ）また、視覚的態様で演出する装置以外にも、聴覚的態様、すなわち、音声で演出する装置（例えばスピーカ）を設けることとしてもよい。もちろん、上述した各装置を複合して設けることとしてもよい。
【００９１】
（ｄ）さらに、上述した演出装置に限られるものではなく、各種制御基板を別装置として設けることとしてもよい。このように制御基板を設けた場合には、複雑な制御が絡む比較的大型の制御基板であっても容易に設置することが可能となり、ひいては、制御性、遊技性の向上を図ることができる。尚、制御基板としては、単数であってもよいし、複数からなることとしてもよい。また、複数の制御基板を設ける場合、互いに異なる角度で設けることも可能となる。なお、制御基板の例としては、主たる遊技を司る主基板の外にも、リール制御基板等を挙げることができる。さらには、発光装置、表示装置、音声装置等の演出装置を設ける場合には、発光制御基板、表示制御基板、音声制御基板等を設けることとしてもよい。
【００９２】
（ｅ）上記実施の形態では、リール４０内にステッピングモータ２９を設けることとしているが、リール４０の外部に設けることとしてもよい。
【００９３】
（ｆ）各リール４０に付される図柄としては、絵、数字、文字等に限らず、幾何学的な線や図形等であってもよい。また、光や色等によって図柄を構成することも可能であるし、立体的形状等によっても図柄を構成し得るし、これらを複合したものであっても図柄を構成し得る。即ち、図柄は識別性を有した情報（識別情報）としての機能を有するものであればよい。
【００９４】
（ｇ）遊技機として回胴式遊技機、特にスロットマシン１について具体化した例を示したが、リール等からなる表示手段を備えたパチンコ機に具体化してもよい。また、スロットマシンとパチンコ機とを融合した形式の遊技機に適用してもよい。即ち、スロットマシンのうち、メダル投入及びメダル払出機能に代えて、パチンコ機のような球投入及び球払出機能をもたせた遊技機としてもよい。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。また、リールのサイズに関し小型化を図ることができるため、全体としての小型化、コンパクト化を図ることができる。その結果、上記遊技機を設計する上で都合がよいというメリットもある。
【００９５】
（ｈ）上記実施の形態では、ステッピングモータ２９とバックライト用光源３８とを共通の取付クランプ２８に取付ける構成としているが、それぞれ別の取付手段（取付クランプ）に取付ける構成としてもよい。
【００９６】
（ｉ）バックライト用光源３８等の別装置をリール軸２５に対し直接的に取付ける構成としてもよい。
【００９７】
（ｊ）上記実施の形態では、駆動プーリ６４、ベルト６５及び被動プーリ６０によって駆動力伝達手段を構成することとしている。これに対し、ステッピングモータ２９の出力軸２９ａに駆動ギヤを取着するとともに、リール４０（左リール枠４１）に前記駆動ギヤに噛合する従動ギヤを取着し、これら両ギヤにより駆動力伝達手段を構成してもよい。要するに、駆動力伝達手段としては、駆動源の回転駆動力を回転体に伝達できる構成となっていればよく、必ずしも上記実施の形態のような構成に限定されるものではない。
【図面の簡単な説明】
【図１】一実施の形態におけるスロットマシンの筐体内部の概要を示す斜視図である。
【図２】回胴ユニットの主として左側部分の主要部分を示す分解斜視図である。
【図３】回胴ユニットの主として右側部分の主要部分を示す分解斜視図である。
【図４】回胴ユニット（帯状フィルムを外した状態）の正面図である。
【図５】回胴ユニットの正面側から見たリール軸付近の断面図である。
【図６】回胴ユニットの左側面側から見た駆動機構の透視図である。
【図７】リール枠の内側面の一部分を示す図である。
【図８】（Ａ）は図７のＡ−Ａ線での拡大断面図、（Ｂ）は図７のＢ−Ｂ線での拡大断面図である。
【図９】（Ａ）は帯状フィルムの展開図、（Ｂ）はリール枠と帯状フィルムとの係合関係を示す後記図（Ｃ）のＤ−Ｄ線での断面図、（Ｃ）は前記図（Ｂ）のＣ−Ｃ線での断面図である。
【図１０】別の実施の形態における表示装置を模式的に示す正面透視図である。
【図１１】別の実施の形態におけるリール及び表示装置を模式的に示す側面図である。
【符号の説明】
２１，２２…支持フレームを構成する第１及び第２の側板、２５…支軸を構成するリール軸、２８…取付手段としての取付クランプ、２９…駆動源としてのステッピングモータ、２９ａ…モータ出力軸、３８…別装置としてのバックライト用光源、４０…回転体としてのリール、６０…被動プーリ、６１…被動プーリ本体、６４…駆動プーリ、６５…ベルト、Ｍ…識別情報としての図柄、Ｋ１，Ｋ２，Ｋ３…別装置としてのドットマトリックス表示装置。
【図１】
0004269566.tif 000002
【図２】
0004269566.tif 000003
【図３】
0004269566.tif 000004
【図４】
0004269566.tif 000005
【図５】
0004269566.tif 000006
【図６】
0004269566.tif 000007
【図７】
0004269566.tif 000008
【図８】
0004269566.tif 000009
【図９】
0004269566.tif 000010
【図１０】
0004269566.tif 000011
【図１１】
0004269566.tif 000012